(57)【要約】  【課題】  無線データ通信の接続設定をミスを少なく且つ簡単に行い、秘密情報が外部に漏れるおそれを少なくする。  【解決手段】  端末１１に仮設定情報１２が予め記憶されている。仮設定情報１２が赤外線通信１５を介して端末１４に送信される。端末１４は、仮設定情報を基に設定情報１６を生成し、設定情報１６を記憶する。端末１４は、端末１１へ接続完了通知を無線ＬＡＮ１７を介して送信する。端末１４からの接続完了通知を端末１１が受信すると、接続完了通知に端末１４の番号が含まれているので、接続先の情報を端末１４に指定するように更新動作がなされる。端末１１は、仮設定情報１２を更新した結果の設定情報１８を有する。端末１１および端末１４が双方向に無線ＬＡＮ通信可能なネットワーク接続された状態となる。【選択図】  図１
2005347911.tif 000002
【特許請求の範囲】
【請求項１】
赤外線通信機能および無線データ通信機能とを有し、自身の識別情報を含む無線データ通信のための仮設定情報を記憶する第１の端末と、赤外線通信機能および無線データ通信機能を有する第２の端末とからなり、
上記赤外線通信機能によって上記第１の端末から上記第２の端末に対して上記仮設定情報を送信し、
受信した上記仮設定情報を基に上記第１の端末を接続先とする第１の設定情報を上記第２の端末が生成し、
上記第１の設定情報に基づいて上記第２の端末が上記第１の端末に対する無線データ通信の接続を行い、上記無線接続の成功に応答して上記第２の端末が接続完了通知を送信し、
上記接続完了通知を受信した上記第１の端末が上記仮設定情報を更新して上記第２の端末を接続先とする第２の設定情報を生成して、上記第１端末および上記第２の端末の無線データ通信を確立するようにした通信システム。
【請求項２】
請求項１において、
上記赤外線通信機能が片方向通信である通信システム。
【請求項３】
請求項１において、
上記第１の端末は、複数の第２の端末と無線データ通信接続のための複数の仮設定情報と、上記複数の仮設定情報を選択するための選択手段とを有する通信システム。
【請求項４】
請求項３において、
上記複数の仮設定情報にそれぞれ含まれる暗号化の鍵情報が互いに異なるものとされた通信システム。
【請求項５】
請求項１において、
アドホックモードとインフラストラクチャモードの一方を指定する情報が上記仮設定情報に含まれる通信システム。
【請求項６】
赤外線通信機能および無線データ通信機能と、自身の識別情報を含む無線データ通信のための仮設定情報とを有し、
上記仮設定情報を上記赤外線通信機能を介して他の端末に対して送信し、
上記他の端末からの上記仮設定情報を基に生成された第１の設定情報を上記無線データ通信機能を介して受信し、
受信された上記第１の設定情報に基づいて上記仮設定情報を更新して上記他の端末を相手先とする第２の設定情報を生成して、上記他の端末との間の無線データ通信を確立するようにした端末。
【請求項７】
赤外線通信機能および無線データ通信機能を有し、
上記赤外線通信機能を介して他の端末からの仮設定情報を受信し、
上記仮設定情報に含まれる上記他の端末の識別情報を使用して上記他の端末を相手先とする第１の設定情報を生成し、
上記第１の設定情報に基づいて、上記他の端末に対して接続完了通知を無線データ通信によって送信する端末。
【請求項８】
赤外線通信機能および無線データ通信機能とを有し、自身の識別情報を含む無線データ通信のための仮設定情報を記憶する第１の端末と、赤外線通信機能および無線データ通信機能を有する第２の端末とからなる通信システムにおける通信方法であって、
上記赤外線通信機能によって上記第１の端末から上記第２の端末に対して上記仮設定情報を送信するステップと、
受信した上記仮設定情報を基に上記第１の端末を接続先とする第１の設定情報を上記第２の端末が生成するステップと、
上記第１の設定情報に基づいて上記第２の端末が上記第１の端末に対する無線データ通信の接続を行い、上記無線接続の成功に応答して上記第２の端末が接続完了通知を送信するステップと、
上記接続完了通知を受信した上記第１の端末が上記仮設定情報を更新して上記第２の端末を接続先とする第２の設定情報を生成して、上記第１端末および上記第２の端末の無線データ通信を確立するステップとからなる通信方法。
【発明の詳細な説明】
【技術分野】
【０００１】
この発明は、２台の端末装置間の接続設定を行うためのインターフェースに特徴を有する通信システム、端末および通信方法に関する。
【背景技術】
【０００２】
家庭へ無線ＬＡＮ(Local Area Network)を導入する場合、最小の構成として、基地局（アクセスポイント）が不要で、端末同士が直接通信を行うことができるアドホックモード(ad hoc mode)という形態が知られている。図１２は、従来のアドホックモードを実現す
るための接続設定を説明するための図である。
【０００３】
図１２Ａに示すように、互いに接続設定がされていない２台の通信端末同士（端末Ａおよび端末Ｂと称する）の無線データ通信ネットワーク接続を構築するためには、予め接続する端末のネットワーク番号を調査した上で設定資料等に基づいて、端末毎に入力操作を行う設定を行う必要がある。すなわち、図１２Ｂに示すように、端末Ａに対して設定情報Ａを設定し、端末Ｂに対して設定情報Ｂを設定する必要がある。
【０００４】
なお、移動して通信環境が変化したときに、データの通信を可能とするために、赤外線通信手段と、電波通信手段とを備え、各通信回線の状態に応じて選択された一方の通信手段で通信を行う通信装置が下記の特許文献１に記載されている。
【０００５】
【特許文献１】特開平１０−９３５０８号公報
【発明の開示】
【発明が解決しようとする課題】
【０００６】
接続設定を人為的に行うことは、設定資料の準備、接続先端末の調査、並びに接続に関する知識を必要とするので、簡単ではなかった。また、入力ミスによって誤った設定を行ったために、意図せずに他の通信端末に接続するなどの誤りが発生するおそれがあった。さらに、ネットワーク識別ＩＤ（ＳＳＩＤ:Service Set Identifier）内でのデータ通信
を暗号化する際に、秘密鍵（ＷＥＰ  Ｋｅｙ:Wired Equivalent Privacy Key）の入力を
人為的に行う結果、秘密情報が外部に漏れたり、入力ミスにより接続ができないおそれがあった。
【０００７】
したがって、この発明の目的は、端末装置の接続設定を簡単に行うことが可能で、入力ミスによる問題が生じることを防止できる通信システム、端末および通信方法を提供することにある。
【課題を解決するための手段】
【０００８】
上述した課題を解決するために、この発明の第１の態様は、赤外線通信機能および無線データ通信機能とを有し、自身の識別情報を含む無線データ通信のための仮設定情報を記憶する第１の端末と、赤外線通信機能および無線データ通信機能を有する第２の端末とからなり、
赤外線通信機能によって第１の端末から第２の端末に対して仮設定情報を送信し、
受信した仮設定情報を基に第１の端末を接続先とする第１の設定情報を第２の端末が生成し、
第１の設定情報に基づいて第２の端末が第１の端末に対する無線データ通信の接続を行い、無線接続の成功に応答して第２の端末が接続完了通知を送信し、
接続完了通知を受信した第１の端末が仮設定情報を更新して第２の端末を接続先とする第２の設定情報を生成して、第１端末および第２の端末の無線データ通信を確立するようにした通信システムである。
【０００９】
この発明の第２の態様は、赤外線通信機能および無線データ通信機能と、自身の識別情報を含む無線データ通信のための仮設定情報とを有し、
仮設定情報を赤外線通信機能を介して他の端末に対して送信し、
他の端末からの仮設定情報を基に生成された第１の設定情報を無線データ通信機能を介して受信し、
受信された第１の設定情報に基づいて仮設定情報を更新して他の端末を相手先とする第２の設定情報を生成して、他の端末との間の無線データ通信を確立するようにした端末である。
【００１０】
この発明の第３の態様は、赤外線通信機能および無線データ通信機能を有し、
赤外線通信機能を介して他の端末からの仮設定情報を受信し、
仮設定情報に含まれる他の端末の識別情報を使用して他の端末を相手先とする第１の設定情報を生成し、
第１の設定情報に基づいて、他の端末に対して接続完了通知を無線データ通信によって送信する端末である。
【００１１】
この発明の第４の態様は、赤外線通信機能および無線データ通信機能とを有し、自身の識別情報を含む無線データ通信のための仮設定情報を記憶する第１の端末と、赤外線通信機能および無線データ通信機能を有する第２の端末とからなる通信システムにおける通信方法であって、
赤外線通信機能によって第１の端末から第２の端末に対して仮設定情報を送信するステップと、
受信した仮設定情報を基に第１の端末を接続先とする第１の設定情報を第２の端末が生成するステップと、
第１の設定情報に基づいて第２の端末が第１の端末に対する無線データ通信の接続を行い、無線接続の成功に応答して第２の端末が接続完了通知を送信するステップと、
接続完了通知を受信した第１の端末が仮設定情報を更新して第２の端末を接続先とする第２の設定情報を生成して、第１端末および第２の端末の無線データ通信を確立するステップとからなる通信方法である。
【発明の効果】
【００１２】
この発明によれば、互いに接続設定されていない無線データ通信端末同士を簡単に接続することができ、人為的なミスを防止でき、秘密情報が外部に漏れるおそれを少なくできる。赤外線リモコン通信規格は、メーカー毎に異なっているので、同一機器でない限り、誤送信する可能性を低くすることができる。接続設定情報のデータ量が数十バイト程度と少ないために、赤外線通信で送信することができる。赤外線通信に代えてリムーバブルが記憶メディア例えばメモリカードに接続設定情報を記録し、他の端末にメモリカードを挿入することで、接続設定を行う方法も可能であるが、記憶メディアへの情報の記録を必要とするために操作が面倒となり、また、接続情報を記憶したメディアの管理を適切に行わないと外部への情報漏れの危険性がある。この発明では、仮設定情報を予め端末に記憶しておき、また、赤外線通信を使用するので、このような問題を生じない。
【００１３】
また、仮設定情報内にアンテナレベルを調整する情報を含ませれば、外部への情報漏れの危険性を減らすことができる。接続設定時の接続完了の確認が容易とできる。接続設定情報の送信端末が接続時しか動作しなくてよいので、消費電力を抑えることができる。
【発明を実施するための最良の形態】
【００１４】
以下、この発明の一実施形態について図面を参照しながら説明する。図１を参照して、この発明の一実施形態による通信システムの構成と接続設定の手順を説明する。通信システムは、端末１１、端末１４からなるアドホック接続の構成とされる。
【００１５】
端末１１および１４は、ホームサーバー、テレビジョン受像機、パーソナルコンピュータ（デスクトップ形または可搬形）、ＰＤＡ(Personal Digital Assistants)、携帯電話
、表示部および入力部を備える家庭用リモートコントロールのコマンダ等である。端末１１および１２の少なくとも一方は、可搬形装置である。
【００１６】
図２は、端末１１の構成の一例を示す。端末１１は、接続設定が不要な第１の無線データ通信例えば赤外線通信の通信ブロック３１と、接続設定が必要な第２の無線データ通信例えば無線ＬＡＮの通信ブロック３２とを含む通信部３０を備えている。通信部３０は、さらに、通信ブロック３１および３２を制御する制御ブロック３３およびネットワーク設定情報、接続制御情報、赤外線送受信データ等を保存するための設定情報記憶ブロック３４を有している。記憶ブロック３４は、不揮発性メモリで構成される。記憶ブロック３４は、無線ＬＡＮ接続設定情報、接続制御情報を記憶し、必要なときに設定情報、接続制御情報を読み出すことが可能とされている。
【００１７】
赤外線通信は、赤外線を使用した片方向または双方向の通信である。例えばリモートコントロール通信規格であるＳＩＲＣＳ(Standard Code for Infrared Remote Control System)、ＩｒＤＡ(Infrared Data Association)等を使用できる。無線ＬＡＮは、電波を使
用した双方向の通信である。例えばIEEE(Institute of Electrical and Electronics Engineers)802.11a、IEEE 802.11b、IEEE 802.11g、ブルートゥース(Bluetooth)等を使用で
きる。
【００１８】
通信部３０は、インターフェース３５を介してＣＰＵ(Central Processing Unit)バス
３６と接続される。ＣＰＵバス３６は、ＣＰＵ３７のバスであり、他にデータ格納用のＲＡＭ３８、プログラム等を格納するためのＲＯＭ３９、液晶等のディスプレイ４０、操作部４１、ハードディスク４２がＣＰＵバス３６に接続されている。ＣＰＵ３７は、通信部３０の制御ブロック３３との通信を行い、通信部３０を制御する。操作部４１は、機械的なキー、スイッチ以外にタッチパネル等の入力装置を有するＧＵＩ(Graphical User Interface)であっても良い。通信部３０、ＣＰＵ３７等によってＰＤＡ等のディジタル機器が構成されている。
【００１９】
端末１４も端末１１と同様の構成とされている。接続情報を設定する場合では、端末１１および端末１４は、赤外線通信が可能な距離に位置している。但し、接続設定が完了した後は、無線ＬＡＮの通信可能な範囲で離れて端末１１および１４を配置することができる。
【００２０】
図１Ａに示すように、端末１１に内蔵の記憶ブロック３４に仮設定情報１２が予め記憶されている。仮設定情報１２は、無線データ通信接続のための接続設定情報を含んでいる。但し、仮設定情報には、接続先端末の識別情報例えば番号を有していないために、この状態では、端末１１が端末１２とネットワーク接続できない。
【００２１】
仮設定情報１２が赤外線通信１５を介して端末１４に対して送信される。赤外線通信のために、赤外線の送出方向を端末１４に向けてユーザがボタンを押すなどの送出操作によって仮設定情報を端末１４に送信できる。ユーザのマニュアル操作は、最初の送出操作のみで、その後は、端末１１および１４に格納されているプログラムにしたがって自動的に処理がなされる。端末１４が常に赤外線通信の受信待ちの状態とされ、端末１１からの受信イベントに備えている。無線データ通信ネットワーク接続後は、赤外線受信待ちでなくても良い。
【００２２】
端末１４が受信した仮設定情報をメモリに格納する。図１Ｂに示すように、端末１４は、仮設定情報を基に端末１１との無線ＬＡＮ接続のための第１の設定情報としての設定情報１６を制御ブロック（図２参照）によって生成し、生成した設定情報１６を記憶ブロックに格納する。設定情報１６によって接続を試行する機能を端末１４が有する。さらに、端末１４は、接続完了後に端末１１へ接続完了通知を無線ＬＡＮ１７を経由して送信する。この完了通知には、送信元（端末１４）の識別情報が含まれている。
【００２３】
端末１１は、赤外線通信後、無線ＬＡＮ接続可能な情報とされており、端末１４から送信される接続完了通知を常に受信できる状態とされている。この場合、端末１１の接続完了通知の待ち状態を一定時間に制限することで、端末１１の無駄な待機電力の消費を抑えられる。
【００２４】
図１Ｃに示すように、端末１４からの接続完了通知を端末１１が受信すると、接続完了通知に端末１４の番号が含まれているので、端末１１において、仮設定情報１２に対して接続先の情報を端末１４に指定するように更新動作がなされる。その結果、端末１１は、仮設定情報１２を更新した結果の第２の設定情報としての設定情報１８を有する。この状態で、端末１１および端末１４が双方向に無線ＬＡＮ通信可能なネットワーク接続された状態となる。端末１１および端末１４共に、接続設定を一度記憶しておけば、ネットワーク接続を解除した後も、再び赤外線通信をすることなく、無線ＬＡＮによる通信を行うことができる。
【００２５】
図３Ａに示すように、仮設定情報１２には、それぞれ数値や１６進数で表された情報が保存されている。"Target"５１は、端末１１の相手先のＩＰアドレスである。仮設定情報１２では、接続先が特定されていないために、"Target"５１の値が無意味な値例えばすべて０とされている。"IP/Port"５２および"Subnet Mask"５３は、端末同士の識別を可能とするための番号で、各端末に対してクラスＣ（１９２．１６８．ｘｘｘ．ｘｘｘ）を用いてプライベートなＩＰアドレスおよびサブネットマスクが割り当てられているものとする。図３Ａでは、端末１１のＩＰアドレスおよびサブネットマスクが割り当てられている。但し、アクセスポイント接続によりグループ内や外部との接続も想定する場合は、その限りではない。
【００２６】
例えば無線ＬＡＮのグループ名を表す"SSID"５５に対して無線データ通信機器固有のＭＡＣ(Media Access Control)アドレスを割り当てることで、ネットワーク間の競合を未然に防止することができる。"Mode"５４は、アドホックモードかインフラストラクチャモードかを示す。"WEP Key"５６については、端末が自動的に生成し、必要に応じてユーザが
指定できるような仕組みとしておくことによって、秘密鍵を盗聴される危険性を減らすことができる。
【００２７】
端末１４は、図３Ａに示す仮設定情報１２を赤外線通信を介して受信すると、図３Ｂに示す設定情報１６を自動的に生成し、記憶ブロックに記憶する。設定情報１６は、仮設定情報１２と同様に、"Target"６１、"IP/Port"６２、"Subnet Mask"６３、"Mode"６４、"SSID"６５、"WEP Key"６６の項目を有している。
【００２８】
図３Ａおよび図３Ｂを比較すると分かるように、設定情報１６では、"Target"６１として端末１１のＩＰアドレス（１９２．１６８．１．５８：５０００）が設定される。"IP/Port"６２および"Subnet Mask"６３として、自分（端末１４）のＩＰアドレスおよびサブネットマスクが割り当てられる。
【００２９】
なお、端末１１が端末１４に対して送信する仮設定情報１２中に接続制御情報としてのアンテナ出力レベル制御の情報を含むようにしても良い。この情報によって、距離の離れた通信を想定して端末１４のアンテナレベルを大きく設定したり、または限られた空間内でのみ利用できるように、アンテナレベルを小さく設定することができる。
【００３０】
仮設定情報１２（図３Ａ）を端末１１が赤外線通信１５によって端末１４に対して送信する場合のデータパケットの構成の一例を図４Ａに示す。仮設定情報１２の中の"IP/Port"５２、"SSID"５５、"WEP Key"５６等の情報を送信できる構成とされている。１パケットが１７６ビット（２２バイト）の長さとされ、先頭にヘッダ（２４ビット）が位置している。ヘッダには、赤外線リモコン通信のためのメーカーコード、カテゴリーコード等が含まれる。このように、仮設定情報は、数十バイト程度のデータ量であるために、赤外線リモコン規格で送信することができる。
【００３１】
ヘッダに続いて"IP/Port"５２に対応するＩＰアドレス（３２ビット）およびポート（
１６ビット）、"SSID"５５に対応するＭＡＣアドレス（４８ビット）、"WEP Key"５６に
対応するＷＥＰ（４０ビット）が位置している。最後に、ヘッダからＷＥＰまでのデータの誤り検出のためのＣＲＣ(cyclic redundancy code)情報であるＦＣＳ(Frame Check Sequence)（１６ビット）が付加されている。送信データは、"IP/Port"５２等で使用される
数値、１６進数列をそのまま送信しても良いし、バイナリ形式等に変換したものを送信するようにしても良い。
【００３２】
図４Ｂに示すように、端末１１および端末１４間の無線ＬＡＮ通信は、例えばＴＣＰ(Transmission Control Protocol)またはＵＤＰ(User Datagram Protocol)パケットの構造
でなされる。１パケットの先頭にヘッダ（３２ビット）が位置している。ＵＤＰでは、ヘッダ情報に発信元ポート（１６ビット）、あて先ポート（１６ビット）、長さ１６ビット、チェックサム（１６ビット）が含まれる。ＴＣＰでは、さらにウインドウサイズを含む４８ビット分の情報が加わる。
【００３３】
ヘッダの後に制御情報としてのコマンドコード（３２ビット）が続き、コマンドコードの後に可変長（０〜５１２バイト）のユーザデータが位置している。最後に、ヘッダからユーザデータまでの誤り検出のためのＣＲＣ情報であるＦＣＳ（３２ビット）が付加されている。
【００３４】
図５は、端末１１が端末１４とネットワーク接続を行うまでの処理の流れを示すフローチャートであり、図６は、端末１４が端末１１とネットワーク接続を行うまでの処理の流れを示すフローチャートである。
【００３５】
端末１１において、ユーザが設定送信ボタンを押すと、送信イベントが発生し（ステップＳＴ１）、仮設定情報１２を基にして、赤外線送信用の送信情報が作成される（ステップＳＴ２）。続くステップＳＴ３において、送信情報が端末１４に向けて送信される。
【００３６】
次のステップＳＴ４において、無線ＬＡＮ接続のために端末１１自身の接続処理を行う。ステップＳＴ５では、端末１４との接続が成功したか否かが判定される。ステップＳＴ５で接続が成功したと判定されると、ステップＳＴ６において、端末１４からの応答を待つ。ステップＳＴ６において、端末１４からの接続完了通知を受信したと判定されると、処理がステップＳＴ７の接続完了表示に移行する。ステップＳＴ８において、接続先情報が更新される。すなわち、仮設定情報１２が更新されて設定情報１８が生成される。そして、処理が終了する。
【００３７】
ステップＳＴ５において接続が成功しないと判定された場合、並びにステップＳＴ６において、接続完了通知がないと判定された場合には、ステップＳＴ９において、タイムアウトしたか否かが判定される。タイムアウトしないまでの所定時間、ステップＳＴ２からステップＳＴ６までの赤外線送信処理が繰り返される。タイムアウトしたとステップＳＴ９で判定されると、ステップＳＴ１０のエラー情報表示例えば「接続に失敗」のようなメッセージが表示される。そして、処理が終了する。
【００３８】
図７において参照符号７１は、端末１１のディスプレイの画面を示す。７２が送信ボタンである。タッチパネルの構成とされ、送信ボタン７２を指先で押す操作、またはカーソルで送信ボタン７２を指定して決定操作を行う構成とされている。送信ボタン７２が押されることによって、ステップＳＴ１の送信イベントが発生する。
【００３９】
送信ボタン７２が押された段階では、接続状況を表す表示７３は、フォーカスされてない、ハイライトがあたっていない等、実質的には、表示されていない。ステップＳＴ７の接続完了表示の段階で、接続状況を表す表示７３（例えば端末Ｂと接続しましたのメッセージの表示）がなされる。この表示７３によって、端末１４との無線ＬＡＮ接続が完了したことが分かる。接続完了表示の態様としては、図７に示す例以外に、発光ダイオード等の発光素子の点滅の表示、音声の発生等の種々のものが可能である。
【００４０】
図６を参照して端末１４における処理を説明する。ステップＳＴ２１は、赤外線受信待ちの状態を意味する。ステップＳＴ２２において、端末１１からの仮設定情報１２が受信される。ステップＳＴ２３において、受信内容を調査することによって、仮設定情報１２の受信が成功したか否かが判定される。
【００４１】
ステップＳＴ２３の判定結果が受信成功の場合では、ステップＳＴ２４において設定情報１６が更新される（図３Ｂ参照）。ステップＳＴ２３の判定結果が受信成功ではない場合では、ステップＳＴ２５のエラー出力の処理がなされる。
【００４２】
ステップＳＴ２４の後のステップＳＴ２６では、設定情報１６に基づいて端末１１に対する無線ＬＡＮ接続の処理を行う。ステップＳＴ２７では、接続が成功したか否かが判定される。接続が成功した場合では、ステップＳＴ２８において、接続完了通知が端末１１に対して送信される。ステップＳＴ２７の判定結果が接続成功ではない場合では、ステップＳＴ２５のエラー出力の処理がなされる。上述したように、端末１１が接続先情報を更新して設定情報１８を生成することによって、端末１１および端末１４間に無線ＬＡＮの接続が確立される。
【００４３】
図８に示すように、この発明においては、端末１１が複数例えば３台の端末１４Ｂ，１４Ｃ，１４Ｄとそれぞれ接続する通信システムを構成することもできる。端末１１は、記憶ブロック（図２参照）内に区別して仮設定情報１２Ｂ，１２Ｃ，１２Ｄを管理している。仮設定情報１２Ｂ，１２Ｃ，１２Ｄは、３個の端末１４Ｂ，１４Ｃ，１４Ｄと対応している。端末１１は、ユーザが接続先を切り替えるためのスイッチ１９を有する。スイッチ１９は、機械的スイッチ（押しボタンスイッチ等）および電子式スイッチ（タッチパネル等）のいずれでも良い。
【００４４】
スイッチ１９による接続先の端末の選択と、設定情報１２Ｂ，１２Ｃ，１２Ｄとが１対１に対応している。スイッチ１９の操作によって、接続先に対応する設定情報を記憶ブロックから読み出すことが可能とされている。
【００４５】
一例として、端末１１と端末１４Ｂとを無線ＬＡＮで接続する場合、スイッチ１９を操作して仮設定情報１２Ｂを記憶ブロックから読み出し、赤外線通信１５によって仮設定情報１２Ｂを端末１４Ｂに対して送信する。その後は、上述した２台の端末を無線ＬＡＮで接続する場合と同様の処理の流れによって、端末１１および端末１４Ｂを無線ＬＡＮで接続することができる。
【００４６】
すなわち、仮設定情報１２Ｂを受信した端末１４Ｂが設定情報を更新し、端末１１に対して設定情報を無線ＬＡＮで送信し、端末１１が仮設定情報１２Ｂを更新して設定情報を作成し、双方向の無線ＬＡＮ接続が確立される。次に、スイッチ１９を切り替え、仮設定情報１２Ｃを記憶ブロックから読み出して、端末１４Ｂの場合と同様に、端末１１と端末１４Ｃの無線ＬＡＮ接続を確立する。さらに、スイッチ１９を切り替え、仮設定情報１２Ｄを記憶ブロックから読み出して、端末１４Ｂ、１４Ｃの場合と同様に、端末１１と端末１４Ｄの無線ＬＡＮ接続を確立する。端末１１は、仮設定情報１２Ｂ、１２Ｃ、１２Ｄを更新した結果の第２の設定情報としての設定情報１８Ｂ、１８Ｃ、１８Ｄを有する。図９は、端末１１と３台の端末１４Ｂ、１４Ｃ、１４Ｄとの間に双方向の無線ＬＡＮ接続１７Ｂ、１７Ｃ、１７Ｄをそれぞれ確立した状態を示すものである。
【００４７】
端末１１と端末１４Ｂ、１４Ｃ、１４Ｄとは、端末１１の仮設定情報１２Ｂ、１２Ｃ、１２Ｄを元に競合しないようなネットワーク番号を割り当てることができる。但し、端末１４Ｂ、１４Ｃ、１４Ｄ間で番号が競合する可能性がある。これを防止する方法として、例えば"WEP Key"６６（図３Ｂ参照）を接続毎に異なった内容（値）とする方法がある。
同じＳＳＩＤ内でネットワーク番号が競合した場合においても、共通の暗号鍵を持つ端末同士のみが通信でき、異なる鍵を持つ端末と誤って通信するおそれがない。
【００４８】
図１０は、図９に示す無線通信システムをホームＬＡＮに適用した場合の概略的構成を示す。８１がリモートコントロール用コマンダであり、表示装置を有している。家庭の違った部屋にテレビジョン受像機８２、動画サーバー８３およびオーディオサーバー８４が設置されている。テレビジョン受像機８２は、各サーバーからのデータを受信し、再生することが可能なものである。
【００４９】
コマンダ８１は、端末１１に相当するもので、テレビジョン受像機８２、動画サーバー８３およびオーディオサーバー８４が端末１４Ｂ，１４Ｃ，１４Ｄに相当する。コマンダ８１、テレビジョン受像機８２、動画サーバー８３およびオーディオサーバー８４は、赤外線通信および無線ＬＡＮ通信の通信装置を備えている。上述したように、コマンダ８１を各部屋に持参して赤外線通信によって各装置との接続設定を行う。
【００５０】
コマンダ８１とテレビジョン受像機８２、動画サーバー８３およびオーディオサーバー８４との無線ＬＡＮ接続が確立すると、コマンダ８１をテレビジョン受像機８２が設置されている部屋で操作し、所望のサーバーから所望のデータをテレビジョン受像機８２に転送させ、再生することが可能となる。この場合、各サーバーからのデータは、確立された無線ＬＡＮ接続および他の有線ＬＡＮ接続のいずれかを介して伝送される。
【００５１】
なお、図１は、アドホック接続の例であるが、この発明では、図１１に示すように、アクセスポイント２０を使用したインフラストラクチャモードの通信システムを構成することも可能である。最初に赤外線通信１５を介して仮設定情報１２が端末１４に送信される。また、端末１１が仮設定情報１２を赤外線通信した後にアクセスポイント２０との接続２１を行い、仮設定情報１２を受け取った端末１４がアクセスポイント２０との接続２２を行う。接続完了後は、端末１１および端末１４が．アクセスポイント２０を介して双方向通信１７を行うことが可能となる。
【００５２】
この発明は、上述したこの発明の一実施形態等に限定されるものでは無く、この発明の要旨を逸脱しない範囲内で様々な変形や応用が可能である。
【図面の簡単な説明】
【００５３】
【図１】この発明による通信システムの一実施形態の概略的構成を接続設定手順にしたがって示すブロック図である。
【図２】この発明の一実施形態における端末の構成の一例のブロック図である。
【図３】この発明の一実施形態における仮設定情報および設定情報の一例を説明するための略線図である。
【図４】この発明の一実施形態における仮設定情報および設定情報の送信パケットの説明に用いる略線図である。
【図５】この発明の一実施形態における一方の端末の接続設定の処理の流れを示すフローチャートである。
【図６】この発明の一実施形態における他方の端末の接続設定の処理の流れを示すフローチャートである。
【図７】この発明の一実施形態における一方の端末の表示画面を説明するための略線図である。
【図８】複数の端末との接続を行う通信システムを説明するためのブロック図である。
【図９】複数の端末との接続を行う通信システムを説明するためのブロック図である。
【図１０】複数の端末との接続を行う通信システムのより具体的例を説明するためのブロック図である。
【図１１】アクセスポイントを介して通信を行う場合にこの発明を適用した場合の構成を示すブロック図である。
【図１２】従来の通信システムにおける接続設定方法の説明に用いるブロック図である。
【符号の説明】
【００５４】
１１，１４・・・端末
１２・・・仮設定情報
１５・・・赤外線通信
１６，１８・・・設定情報
１７・・・無線ＬＡＮ通信
３１・・・赤外線通信ブロック
３２・・・無線ＬＡＮ通信ブロック
【図１】
2005347911.tif 000003
【図２】
2005347911.tif 000004
【図３】
2005347911.tif 000005
【図４】
2005347911.tif 000006
【図５】
2005347911.tif 000007
【図６】
2005347911.tif 000008
【図７】
2005347911.tif 000009
【図８】
2005347911.tif 000010
【図９】
2005347911.tif 000011
【図１０】
2005347911.tif 000012
【図１１】
2005347911.tif 000013
【図１２】
2005347911.tif 000014